(57)【要約】【課題】  フォーカス位置の初期調整を安定させてフォーカス調整のばらつきの低減を実現した撮像装置を提供する。【解決手段】  光軸方向に撮像素子３を包囲するホルダ５の第１円筒部５ａの内面に沿って、撮像素子３に被写体像を結像するレンズ９ｂを備えたレンズホルダ９の第２円筒部９ａを挿入すると共に、ホルダ５の第１円筒部５ａの外面に沿って、光軸周りの回転によりレンズホルダ９を光軸方向に移動させて撮像素子３に対してフォーカス位置を調整するフォーカス調整リング７と光軸周りの回転によりレンズホルダ９を光軸方向に移動させて通常撮影位置を含む複数の撮影位置を設定する撮影切替リング８を挿入して、加えてレンズホルダ９の通常撮影位置において撮影切替リング８の回転を阻止する回転阻止用突起７ｅを備えたことを特徴とする。【選択図】  図２
2007003623.tif 000002
【特許請求の範囲】
【請求項１】
撮像素子を光軸方向に包囲する第１円筒部を有するホルダと、
前記第１円筒部の内面に沿って挿入され、前記撮像素子に被写体像を結像するレンズを備えた第２円筒部を有したレンズホルダと、
前記第１円筒部の外面に沿って挿入され、前記第１円筒部に対する光軸周りの回転により前記レンズホルダを前記光軸方向に移動させ、前記撮像素子に対しフォーカス調整を行うフォーカス調整リングと、
前記第１円筒部の外面に沿って挿入され、前記第１円筒部に対する前記光軸周りの回転により前記レンズホルダを前記光軸方向に移動させ、通常撮影位置を含む複数の撮影位置が設定可能な撮影切替リングと、
前記通常撮影位置において、前記撮影切替リングの回転を阻止する回転阻止部を備えたことを特徴とする撮像装置。
【請求項２】
回転阻止部は、前記フォーカス調整リングに設けられ、前記撮影切替リングに設けられた回転レバーと当接して、前記撮影切替リングの回転を阻止する回転阻止用突起を備えたことを特徴とする請求項１に記載の撮像装置。
【発明の詳細な説明】
【技術分野】
【０００１】
この発明は、携帯電話及びＰＤＡ等に搭載される撮像装置に関するもので、例えば通常撮影や接写撮影などの撮影切替が可能な撮像装置において行うフォーカス位置の初期調整に関するものである。
【背景技術】
【０００２】
携帯電話やＰＤＡ等には、風景や人物などの撮影として一般的に用いられる通常撮影に加えて草花などに極力接近して撮影する目的で用いられる接写撮影などの撮影切替が行える撮像装置がよく搭載されている。
【０００３】
このような撮像装置において、通常撮影はパンフォーカス（レンズの被写界深度を広くして、数十ｃｍ（例えば５０ｃｍ程度）〜∞の撮像距離までピントがあったような画像を得る方法であり、簡素な機構なので低価格機によく用いられる。）として設定されるため、ピントの合う範囲である被写界深度は非常に広くなる。これに対し接写撮影は数ｃｍ〜数十ｃｍ程度（例えば５〜１０ｃｍ程度）の非常に近い撮像距離にピントが合うようにレンズ位置を変えてフォーカス距離を設定するため、ピントの合う範囲である被写界深度は非常に狭くなる。
【０００４】
そしてこのような撮像装置は、通常、組立て製造後にパンフォーカスとして設定され広い被写界深度を有するためフォーカス調整作業が容易な通常撮影位置においてフォーカス位置の初期調整を行った後、携帯電話やＰＤＡ等に組み込まれる。
【０００５】
この撮像装置のフォーカス位置の初期調整としては、ホルダに挿入されたレンズホルダを取外し、このレンズホルダの外周に螺合する調整リングを回転させて、このレンズホルダと調整リングとの相対光軸方向位置を調整することにより行うものがある。（例えば、特許文献１参照）
【特許文献１】特開２００４−２５２０６０号公報（第１図）
【０００６】
特許文献１で記載したような撮像装置においてはレンズホルダ等の取外し作業が生じるのであるが、例えば図４および図５に示すように、フォーカス位置の初期調整の際にレンズホルダなどの取外し作業を無くした撮像装置も提供されている。
【０００７】
図４および図５を参照して構成および動作について説明する。なお説明の便宜のため、図面向かって上を上方、下を下方として説明する。
【０００８】
図４は従来の撮像装置を示す断面構成図である。また図５は従来の撮像装置を構成する光学ユニットを示す構成図である。この撮像装置は、数メートル以上離れた被写体を撮影する際に用いる通常撮影および数十センチメートル程度にある被写体を撮影する際に用いる接写撮影が可能な二つの撮影位置の切替え設定を行うことが出来る撮像装置を示したものである。
【０００９】
撮像装置は、図４に示すように撮像ユニット１と光学ユニット２から構成されている。
【００１０】
ＣＣＤなどの撮像素子３が搭載された基板４の上には、光軸中心に撮像素子３を包囲する開口部を有した第１円筒部５ａと基板４に接する側の第１円筒部５ａの外周部に第１フランジ部５ｂを有したホルダ５が固設されている。そしてホルダ５の第１フランジ部５ｂの外周周辺部には、柱部５ｃと付勢部材であるつるまきばね６の一端を掛合するための第１掛止部５ｄが９０°間隔で交互に設けられ、また第１フランジ部５ｂの上方面には、第１円筒部５ａから外周周辺部に向かって放射状に半円状のフォーカス調整用突起５ｅが設けられている。
【００１１】
第１円筒部５ａの外側にはリング状のフォーカス調整リング７が挿入されている。このフォーカス調整リング７には、外周側面に手動により容易に回転可能にするためのローレット溝７ａが形成され、またフォーカス調整リング７の下方面には、第１カム面７ｂ、フォーカス調整用突起５ｅとほぼ同じ高さの段差を有する第２カム面７ｃおよび第１カム面７ｂと第２カム面７ｃの間をフォーカス調整用突起５ｅが円周方向に沿って滑らかに移動可能な傾斜面である第１傾斜面７ｄを有している。
【００１２】
よって、フォーカス調整リング７は、ホルダ５に対して光軸周りに第１カム面７ｂと第２カム面７ｃの間で第１傾斜面７ｄを介して回転可能であり、かつホルダ５に対して光軸方向にフォーカス調整用突起５ｅの高さだけ移動可能である。
【００１３】
フォーカス調整リング７の上方面には、この上方面に当接するように、第１円筒部５ａの外側に撮影切替リング８が挿入されている。この撮影切替リング８には、外周側面に手動で容易に回転可能にするための切替レバー８ａが突設されている。また撮影切替リング８の上方面には、接写撮影位置を設定する第３カム面８ｂ、後述する撮影切替用突起とほぼ同じ高さの段差を有して通常撮影位置を設定する第４カム面８ｃおよび第３カム面８ｂと第４カム面８ｃの間を後述する撮影切替用突起が円周方向に沿って滑らかに移動可能な傾斜面である第２傾斜面８ｄを有している。
【００１４】
また撮影切替リング８の上方面側から、ホルダ５の第１円筒部５ａの内面に沿ってレンズホルダ９の第２円筒部９ａが挿入されている。この第２円筒部９ａ内には、撮像素子３に被写体像を結像させるレンズ９ｂが装着されている。また第２円筒部９ａの上方外周部には、第２フランジ部９ｃが設けられ、この第２フランジ部９ｃの下方面には、第２傾斜面８ｄを介して接写撮影位置である第３カム面８ｂまたは通常撮影位置である第４カム面８ｃに当接して、レンズホルダ９を光軸方向に動作させて通常撮影および接写撮影が可能なように、第２傾斜面８ｄの段差の高さにほぼ等しい撮影切替用突起９ｅが設けられている。また第２フランジ部９ｃの外周周辺部には、第１掛止部５ｄに対向して、ホルダ５の方向に付勢するつるまきばね６の他端を掛合する第２掛止部９ｄが設けられている。
【００１５】
よって、レンズホルダ９は第２傾斜面８ｄが有する段差の高さでもって光軸方向に移動可能であり、切替レバー８ａを円周方向に時計方向または反時計方向に回転させることにより、撮影切替用突起９ｅが第３カム面８ｂに当接する場合は接写撮影位置となり第４カム面８ｃに当接する場合は通常撮影位置となる。
【００１６】
またレンズホルダ９の上方側には、光軸中心にレンズ９ｂを包囲する開口部を有したマウント１０が、ホルダ５の第１フランジ部５ｂに設けられた柱部５ｃに固定されている。
【００１７】
次に撮像装置において行うフォーカス位置の初期調整の動作について、図４および図５を参照して説明する。
【００１８】
まず撮影切替リング８の切替レバー８ａを、図５の矢印Ａに示すように反時計方向に回転させて、ホルダ５の柱部５ｃに当接させる。この時、レンズホルダ９の撮影切替用突起９ｅは撮影切替リング８の第４カム面８ｃに当接する通常撮影位置を設定する位置にある。
【００１９】
次に切替レバー８ａを柱部５ｃに当接した状態で、フォーカス調整リング７を時計方向または反時計方向に回転させて、ホルダ５のフォーカス調整用突起５ｅのフォーカス調整リング７の第１カム面７ｂ、第２カム面７ｃおよび第１傾斜面７ｄに当接する位置を変えて、フォーカス調整リング７を光軸方向に移動させることに合わせてレンズホルダ９も光軸方向に移動させることによりフォーカス位置の初期調整を行う。
【発明の開示】
【発明が解決しようとする課題】
【００２０】
従来の撮像装置におけるフォーカス位置の初期調整は、前述のように行われていたため、フォーカス位置の初期調整を行うためにフォーカス調整リング７を回転させた際、フォーカス調整リング７と撮影切替リング８の間の摩擦力または撮影切替リング８への人為的な接触などの要因により撮影切替リング８が連動してしまい、レンズホルダ９の撮影切替用突起９ｅが移動して、撮影切替リング８の第２傾斜面８ｄまたは接写撮影位置を設定する第３カム面８ｂに当接する場合があり、フォーカス位置調整にばらつきが生じるという課題があった。
【００２１】
この発明は、上記のような課題点を解消するためになされたもので、撮像装置におけるフォーカス位置の初期調整を安定させてフォーカス位置調整のばらつきの低減を実現した撮像装置を提供することを目的とする。
【課題を解決するための手段】
【００２２】
この発明に係る撮像装置は、光軸方向に撮像素子を包囲するホルダの第１円筒部の内面に沿って、撮像素子に被写体像を結像するレンズを備えたレンズホルダの第２円筒部を挿入し、またホルダの第１円筒部の外面に沿って、光軸周りの回転によりレンズホルダを光軸方向に移動させて撮像素子に対してフォーカス位置を調整するフォーカス調整リングと光軸周りの回転によりレンズホルダを光軸方向に移動させて通常撮影位置を含む複数の撮影位置を設定する撮影切替リングを挿入し、さらにレンズホルダの通常撮影位置において撮影切替リングの回転を阻止する回転阻止部を備えた構成としたものである。
【発明の効果】
【００２３】
この発明によれば、撮像装置を構成する撮影切替リングの回転を通常撮影位置において阻止する回転阻止部を設け、通常撮影位置において撮影切替リングの回転を阻止した状態でフォーカス調整リングによりフォーカス位置を調整するようにしたため、フォーカス調整時に撮影切替リングが通常撮影位置以外の撮影位置以外に移動することがなく、またレンズホルダを取外す必要もないため、撮像装置におけるフォーカス位置の初期調整が安定し、フォーカス調整のばらつきが低減する効果を奏する効果がある。
【発明を実施するための最良の形態】
【００２４】
実施の形態１
この発明の実施の形態１について図１〜図３を用いて説明する。図１は撮像装置に搭載される光学ユニットの斜視図である。図２は図１に示す光学ユニットをＸ方向から見た側面図である。図３は図１に示す光学ユニットのＩ−Ｉ断面に撮像ユニットの構成を加えた撮像装置の断面図である。
【００２５】
まず図１から図３を参照して、この発明の撮像装置の構成について、図４および図５に示した従来の撮像装置の構成と相違する点について説明する。なお説明の便宜のため、図面向かって上を上方、下を下方として説明する。
【００２６】
図１から図３において、従来の撮像装置の構成を示した図４および図５と相違する点は、フォーカス調整リング７の上方面に、この上方面の外周方向の途中から外周周辺部に向かって、撮影切替リング８の切替レバー８ａが通常撮影位置（レンズホルダ９の撮影切替用突起９ｅが撮影切替リング８の第４カム面８ｃに当接した位置）で固定されるように、回転阻止部である半円状の回転阻止用突起７ｅを設けたことである。また撮影切替リング８の外形は、図１または図３に示すように、回転阻止用突起７ｅに当接しない外形としてある。
【００２７】
そして、この回転阻止用突起７ｅにより、フォーカス調整リング７の上方面は、図２に示すように、回転阻止用突起７ｅとホルダ５の柱部５ｃの間にあって、切替レバー８ａの円周方向の回転を阻止して、切替レバー８ａを通常撮影位置に固定する回転阻止面７ｆと、回転阻止用突起７ｅとつるまきばね６の間にあって、通常撮影位置と接写撮影位置の設定を切替える撮影切替面７ｇに分けられる。
【００２８】
その他の構成については、図４および図５に示した従来の撮像装置の構成と同じであるため、同一符号を付し、ここでの説明は省略する。
【００２９】
次に動作について図１〜図３を参照して説明する。
【００３０】
撮像装置に対して組立て製造後に行うフォーカス位置の初期調整は、撮影切替リング８を通常撮影位置に設定して、フォーカス調整リング７を回転させることにより行う。
【００３１】
すなわち、まず撮影切替リング８の切替レバー８ａを、図２の矢印Ｂに示すように、反時計方向に回転させて、フォーカス調整リング７における回転阻止用突起７ｅとホルダ５の柱部５ｃに挟まれた回転阻止面７ｆに移動させる。この回転阻止面７ｆは切替レバー８ａとほぼ同じ幅を有するように形成しているために、撮影切替リング８が容易に回転することは無い。この時、レンズホルダ９の撮影切替用突起９ｅは、通常撮影位置を設定する撮影切替リング８の第４カム面８ｃに当接した状態で固定される。
【００３２】
また切替レバー８ａをフォーカス調整リング７の撮影切替面７ｇから回転阻止面７ｆに移動させる際、回転阻止用突起７ｅを乗り越える必要があるのであるが、フォーカス調整リング７および撮影切替リング８は、ホルダ５とレンズホルダ９の間に設けられたつるまきバネ６によりホルダ５の方向に付勢されているだけであり、このため切替レバー８ａをつるまきばね６のホルダ５方向の付勢力に対抗して、レンズホルダ９の方向に回転阻止用突起７ｅの高さよりも高く持ち上げることにより、回転阻止用突起７ｅを容易に乗り越えることが可能である。
【００３３】
そして切替レバー８ａが回転阻止面７ｆにある状態、つまりレンズホルダ９の撮影切替用突起９ｅが、通常撮影位置を設定する撮影切替リング８の第４カム面８ｃに当接している状態において、フォーカス調整リング７を時計方向または反時計方向に回転させて、フォーカス調整リング７の第２カム面７ｃと第１カム面７ｂおよび第１傾斜面７ｄに対するホルダ５のフォーカス調整用突起５ｅの当接位置を適宜変えて、フォーカス調整リング７を光軸方向への移動に合わせてレンズホルダ９を光軸方向に移動させて、レンズホルダ９のレンズ９ｂと基板４に搭載された撮像素子３との距離を調整し、撮像素子３が最適な結像状態を得る位置においてフォーカス位置調整を完了する。
【００３４】
フォーカス調整後は、フォーカス調整リング７を、例えば接着剤などを用いて回転しないように固定し、撮影切替リング８の切替レバー８ａをフォーカス調整リング７の回転阻止面７ｆから回転阻止用突起７ｅを乗り越えさせて、撮影切替面７ｇに移動させる。
【００３５】
そして、通常撮影を行う場合は、撮影切替リング８の切替レバー８ａを、レンズホルダ９の撮影切替用突起９ｅが撮影切替リング８の第４カム面８ｃに当接する通常撮影位置にすることにより、また接写撮影を行う場合は、撮影切替リング８の切替レバー８ａを、レンズホルダ９の撮影切替用突起９ｅが撮影切替リング８の第３カム面８ｂに当接する接写撮影位置にすることにより撮影を行う。
【００３６】
この実施の形態１によれば、光軸方向に撮像素子３を包囲するホルダ５の第１円筒部５ａの内面に沿って、撮像素子３に被写体像を結像するレンズ９ｂを備えたレンズホルダ９の第２円筒部９ａを挿入し、またホルダ５の第１円筒部５ａの外面に沿って、光軸周りの回転によりレンズホルダ９を光軸方向に移動させて撮像素子３に対してフォーカス位置を調整するフォーカス調整リング７と光軸周りの回転によりレンズホルダ９を光軸方向に移動させて通常撮影位置を含む複数の撮影位置を設定する撮影切替リング８を挿入し、さらにレンズホルダ９の通常撮影位置において撮影切替リング８の回転を阻止する回転阻止用突起７ｅを備えた構成として、通常撮影位置において撮影切替リング８の回転を阻止した状態でフォーカス調整リング７によりフォーカス位置の調整を可能にしたため、フォーカス調整時にレンズホルダ９が通常撮影位置以外の撮影位置に移動することがなく、またレンズホルダ９を取外す必要もないため、撮像装置におけるフォーカス位置の初期調整が安定になるため、フォーカス位置調整のばらつきの低減を実現した撮像装置を提供できる効果がある。
【００３７】
また、この実施の形態１によれば、フォーカス位置の調整の後、撮影切替リング８の切替レバー８ａをフォーカス調整リング７の回転阻止面７ｆから回転阻止用突起７ｅを乗り越えさせて、撮影切替面７ｇに移動させたものを示したが、フォーカス位置の初期調整後においては、この回転阻止用突起７ｅは不要であるため、例えば工具などを用いて除去してもよく、この場合も、この実施の形態１と同様の効果を奏する。
【００３８】
なお、この実施の形態１によれば、通常撮影位置および接写撮影位置の２つの撮影位置を設定する撮像装置について示したが、通常撮影位置を含んでいれば接写撮影位置でなくてもよく、また２つ以上の撮影位置が設定可能な撮像装置についても適用可能であることは言うまでもない。
【図面の簡単な説明】
【００３９】
【図１】この発明に係る光学ユニットの一実施の形態を示す斜視図である。
【図２】この発明に係る光学ユニットの一実施の形態を示す側面図である。
【図３】この発明の係る撮像装置の一実施の形態を示す断面図である。
【図４】従来の撮像装置の例を示す断面図である。
【図５】従来の光学ユニットの例を示す側面図である。
【符号の説明】
【００４０】
１      撮像ユニット
２      光学ユニット
３      撮像素子
４      基板
５      ホルダ
５ａ    第１円筒部
７      フォーカス調整リング
７ｅ    回転阻止用突起
８      撮影切替リング
９      レンズホルダ
９ａ    第２円筒部
９ｂ    レンズ
【図１】
2007003623.tif 000003
【図２】
2007003623.tif 000004
【図３】
2007003623.tif 000005
【図４】
2007003623.tif 000006
【図５】
2007003623.tif 000007